(57)【特許請求の範囲】
【請求項１】
同一焼却施設内の複数箇所における汚染物中のダイオキシン類及び鉛の濃度を測定してダイオキシン類濃度と鉛濃度との間の関係式を算出する一方、上記焼却施設内の測定箇所における汚染物中の鉛濃度を測定し、この鉛濃度から上記関係式に基づいて上記測定箇所における汚染物中のダイオキシン類濃度を測定することを特徴とするダイオキシン類の測定方法。
【発明の詳細な説明】
【０００１】
【発明の属する技術分野】
本発明は、同一焼却施設内の複数箇所における汚染物中の鉛濃度及びダイオキシン類濃度からこれらの間の関係式を算出する一方、上記焼却施設内の測定箇所における汚染物中の鉛濃度を測定し、この鉛濃度から上記関係式に基づいて測定箇所にある汚染物中のダイオキシン類濃度を簡易に且つ迅速に測定することができるダイオキシン類の測定方法に関する。
【０００２】
【従来の技術】
従来から、企業や家庭から排出される廃棄物は、これらを収集した地域のゴミの焼却施設にて焼却処分されている。そして、上記廃棄物には、ポリ塩化ビニル等の塩素原子を含む合成樹脂類が混在していることから、焼却過程において化学反応が生じて猛毒のダイオキシン類が生成することが知られている。
【０００３】
一方、ダイオキシン類は、廃棄物を３００〜６００℃で焼却した時に最も発生しやすい反面、廃棄物を８５０℃以上の温度で焼却させるとダイオキシン類は殆ど発生しないことが知られており、近年、既存の焼却施設を解体し、廃棄物を８５０℃以上の高温で焼却可能な大型の焼却施設への転換が進められている。
【０００４】
そして、上記の如く、廃棄物の焼却過程において猛毒のダイオキシン類が発生し、このダイオキシン類を含む汚染物が焼却施設の壁面等に大量に付着していることから、焼却施設の解体前にこれら汚染物をケレン棒で削り取ったり或いは高圧ジェット水で洗い流す等してダイオキシン類濃度が許容範囲となるまで除去することが義務づけられている。
【０００５】
又、解体作業を行う者の健康上の安全を確保するために、焼却施設を解体する前にダイオキシン類により汚染されている可能性のある焼却炉本体、煙道、除塵装置、排煙冷却装置等の所定箇所に付着した汚染物中のダイオキシン類濃度を測定することが義務づけられている。
【０００６】
このダイオキシン類濃度の測定方法としては、例えば、ソックスレー抽出器を用いて、トルエンやエチレングリコール等の溶剤で７２時間の溶剤抽出後、クリーンアップ、濃縮処理を経て、ガスクロマトグラフィー・質量分析計で分析する方法があるが、この分析方法は、濃縮処理等の分析に要する工程が煩雑なため、分析結果がでるまでに約１カ月程度かかり、又、分析費用も高いといった問題点があった。
【０００７】
又、焼却施設の壁面等からダイオキシン類を含む汚染物が除去されたか否かの判断は目視観察に委ねられており、ダイオキシン類濃度が許容範囲となっているか否かの判断が曖昧であるといった問題点もあった。
【０００８】
更に、焼却施設におけるダイオキシン類濃度の測定が義務付けられている箇所以外の箇所がダイオキシン類に汚染されていた場合には、焼却設備の解体に伴ってダイオキシン類が拡散する虞れがあるといった問題点もあった。
【０００９】
【発明が解決しようとする課題】
本発明は、上記問題点に鑑みて、同一焼却施設内の任意箇所における汚染物中のダイオキシン類及び鉛の濃度を測定してダイオキシン類濃度と鉛濃度との間の関係式を算出する一方、上記焼却施設内の任意の測定箇所における汚染物中の鉛濃度から上記関係式に基づいて測定箇所における汚染物中のダイオキシン類濃度を簡易に且つ迅速にして安価に測定することができるダイオキシン類の測定方法を提供する。
【００１０】
【課題を解決する手段】
焼却施設における汚染物の殆どは焼却灰に由来するものであり、この焼却灰中にダイオキシン類が含有されており、ダイオキシン類濃度は、焼却灰の量に略比例する。
【００１１】
一方、鉛は、電気基盤回路の溶接に用いられるハンダ等のように様々な用途に大量に使用されており、焼却灰中に多量に含まれていると共にその濃度を短時間のうちに簡単に測定することができる。
【００１２】
そこで、本発明者らは、焼却灰中に大量に含まれている鉛に着目して研究を重ねた結果、同一焼却施設内の汚染物中のダイオキシン類濃度と鉛濃度との間には相関関係があることを発見し、この相関関係を利用することによってダイオキシン類濃度を短時間のうちに簡単に測定することができるダイオキシン類の測定方法を発明するに至ったものである。
【００１３】
即ち、本発明のダイオキシン類の測定方法は、同一焼却施設内の複数箇所における汚染物中のダイオキシン類及び鉛の濃度を測定してダイオキシン類濃度と鉛濃度との間の関係式を算出する一方、上記焼却施設内の測定箇所における汚染物中の鉛濃度を測定し、この鉛濃度から上記関係式に基づいて上記測定箇所における汚染物中のダイオキシン類濃度を測定することを特徴とする。
【００１４】
上記ダイオキシン類の測定方法では、先ず、同一焼却施設内における汚染物中のダイオキシン類濃度と鉛濃度との間の相関関係を表す関係式を算出するために、同一焼却施設内の複数箇所から汚染物を採取する。
【００１５】
ここで、焼却施設とは、廃棄物を焼却処理することができる焼却炉と、この廃棄物の焼却処理に伴って発生する排煙を処理した上で外部に排出する排煙処理設備を備えている施設をいい、又、同一焼却施設とは、焼却炉を同じくする焼却施設をいう。
【００１６】
上記同一焼却施設内における汚染物中のダイオキシン類濃度と鉛濃度との間の相関関係を示す関係式を算出するための汚染物としては、ダイオキシン類に汚染されている可能性が比較的高い箇所にある汚染物が用いられるが、具体的には、焼却炉内の焼却灰及び炉壁付着物、廃熱ボイラの廃熱ボイラ缶外付着物、煙突の下部付着物、煙道内付着物、除じん装置内の堆積物及び壁面付着物、排煙冷却設備内の付着物、排水処理設備内の付着物等が挙げられ、これらのうちの任意に選択した複数箇所、好ましくは、３箇所以上の付着物を汚染物として採取するのが好ましい。
【００１７】
この時、焼却施設から汚染物を採取する要領としては、焼却施設の構造物表面に付着した汚染物の場合は、構造物表面に何層にも層状に堆積して形成されていることが多いことから、構造物表面（被付着面）が露出するまで構造物表面（被付着面）に対して垂直方向に円形状に、汚染物の厚さが厚い場合には円柱状に乾燥重量が１０ｇ以上となるように採取することが好ましく、又、焼却灰を汚染物とする場合は乾燥重量が１０ｇ以上となるように採取するのが好ましい。
【００１８】
そして、上記汚染物中に含まれるダイオキシン類濃度（ｎｇ−ＴＥＱ／ｇ）の測定方法としては、厚生省（現厚生労働省）告示第２３４号「ダイオキシン類の濃度算出方法」に準拠した測定方法が用いられる。なお、上記ダイオキシン類としては、ポリ塩化ジペンゾパラジオキシン、ポリ塩化ジペンゾフラン、コプラナーＰＣＢ等のダイオキシン類が挙げられる。
【００１９】
又、上記汚染物中における鉛濃度（ｍｇ／ｋｇ）の測定方法としては、底質調査法II−7.1 に準拠した測定方法が用いられる。
【００２０】
しかる後、上記複数の汚染物中に含まれる測定されたダイオキシン類濃度と鉛濃度とから、例えば、横軸に鉛濃度を、縦軸にダイオキシン類濃度をとることによってダイオキシン類濃度と鉛濃度との間の関係式をグラフ化する。この時、ダイオキシン類濃度と鉛濃度との間の関係式は焼却施設毎に異なり、例えば、一次関数、二次関数等となる。
【００２１】
次に、上記汚染物を採取した同一焼却施設内における上記採取箇所とは異なる任意の測定箇所から汚染物を採取する。なお、上記と同様に、焼却施設の構造物表面に付着した汚染物の場合は、測定箇所の構造物表面（被付着面）が露出するまで構造物表面（被付着面）に対して垂直方向に円形状に、汚染物の厚さが厚い場合には円柱状に乾燥重量が１０ｇ以上となるように汚染物を採取するのが好ましく、又、焼却灰を汚染物とする場合は乾燥重量が１０ｇ以上となるように採取するのが好ましい。
【００２２】
そして、測定箇所から採取した汚染物に含まれる鉛濃度を上記所定方法で測定し、上記で算出したダイオキシン類濃度と鉛濃度との間の関係式に基づき、上記鉛濃度から測定箇所におけるダイオキシン類濃度を直ちに測定することができる。
【００２３】
このように、焼却施設内の任意の測定箇所にある汚染物中のダイオキシン類濃度を、簡単且つ迅速に測定できる鉛濃度から、短時間のうちに測定することができるので、焼却施設内のより多くの箇所のダイオキシン類濃度を迅速に測定することができると共に、焼却施設における汚染物除去後のダイオキシン類濃度を測定してダイオキシン類の除去が確実に行われ、ダイオキシン類濃度が許容範囲内になっているか否かを迅速に且つ確実に測定、判断することができる。
【００２４】
【実施例】
（実施例１）
図１に示したような、焼却炉１と、この焼却炉１の上端部に基端部が連結、連通されたボイラ２と、このボイラ２の先端部に基端部が連結、連通された濾過式除じん装置３と、この濾過式除じん装置３の先端部に基端部が連結、連通された洗煙装置４と、この洗煙装置４の上端部と排ガス再加熱設備５を介して連結、連通された煙突６とからなる焼却施設Ａについてダイオキシン類濃度を測定した。
【００２５】
先ず、焼却炉１内に堆積した焼却灰B1を乾燥重量にして１０ｇを採取すると共に、濾過式除じん装置３内の堆積物B2及び煙突６の内部付着物B3を被付着面が露出するまで該被付着面に対して垂直方向に円柱状に乾燥重量にして１０ｇ採取し、各汚染物中に含まれるダイオキシン類及び鉛の濃度を測定した。
【００２６】
そして、上記各汚染物中に含まれるダイオキシン類及び鉛の濃度に基づき、横軸に鉛濃度（ｍｇ／ｋｇ）を、縦軸にダイオキシン類濃度（ｎｇ−ＴＥＱ／ｇ）をとって、ダイオキシン類濃度と鉛濃度との間の相関関係を調べたところ、図２に示したような一次関数を示した。
【００２７】
一方、上記焼却施設Ａ内の濾過式除じん装置３内の壁面から被付着面が露出するまで該被付着面に対して垂直方向に乾燥重量１０ｇの円柱状汚染物を採取し、この汚染物中の鉛濃度を測定したところ、２２００ｍｇ／ｋｇであり、この鉛濃度に基づいて図２のグラフから汚染物中のダイオキシン類濃度を測定したところ、１．７５ｎｇ−ＴＥＱ／ｇであった。
【００２８】
又、上記焼却施設Ａ内の濾過式除じん装置３内の壁面から被付着面が露出するまで該被付着面に対して垂直方向に採取した乾燥重量１０ｇの円柱状汚染物中のダイオキシン類濃度を厚生省（現厚生労働省）告示第２３４号「ダイオキシン類の濃度算出方法」に準拠して測定したところ、１．９０ｎｇ−ＴＥＱ／ｇであり、図２に示したグラフから測定したダイオキシン類濃度と略一致するものであった。
【００２９】
【発明の効果】
本発明のダイオキシン類の測定方法は、同一焼却施設内の複数箇所における汚染物中のダイオキシン類及び鉛の濃度を測定してダイオキシン類濃度と鉛濃度との間の関係式を算出する一方、上記焼却施設内の測定箇所における汚染物中の鉛濃度を測定し、この鉛濃度から上記関係式に基づいて上記測定箇所における汚染物中のダイオキシン類濃度を測定することを特徴とするので、焼却施設内の測定箇所にある汚染物中の鉛濃度を短時間のうちに測定し、この測定した鉛量に基づいて直ちに汚染物中のダイオキシン類濃度を測定することができる。
【００３０】
このように、焼却施設内の汚染物中のダイオキシン類の濃度を該汚染物中の鉛濃度に基づいて短時間のうちに測定することができることから、従来のように焼却施設内の汚染物を除去したか否かの判断を目視観察だけで終わらせることなく、その都度、きめ細かく測定してダイオキシン類濃度が許容範囲となっているか否かを確認してダイオキシン類を許容範囲内まで確実に除去することができると共に、従来では測定していなかった箇所のダイオキシン類濃度の測定をより細かく隈なく迅速に行ってダイオキシン類の拡散を大幅に低減することができる。
【図面の簡単な説明】
【図１】焼却施設の一例を示した模式断面図である。
【図２】実施例１におけるダイオキシン類濃度と鉛濃度との相関関係を示したグラフである。
【符号の説明】
１  焼却炉
２  ボイラ
３  濾過式除じん装置
４  洗煙装置
５  再加熱設備
６  煙突
Ａ  焼却施設
【図１】
0003939540.tif 000002
【図２】
0003939540.tif 000003